(57)【要約】【課題】筐体の向きによらず、貫通孔を備える側壁を覆い隠すことができる化粧カバー、およびかかる化粧カバーを備える蓄電池ユニットを提供する。【解決手段】化粧カバー４０は、板材２０１ｃ（側壁）に貫通孔２０１４、２０１５を備える筐体２０に着脱自在に装着され、筐体２０に装着することにより板材２０１ｃを覆い隠すために使用される。化粧カバー４０は、板材２０１ｃの上辺および縦辺に沿った形状を有する帯状の枠材４１と、枠材４２に着脱自在に固定される板材４２とを備えている。枠材４１は、その幅方向の両側に対称的に設けられ、板材４２を固定するための固定部を有している。筐体２０を、板材２０１ｃが右側になるように配置した状態と左側になるように配置した状態とで、板材４２を前後反転させて、枠材４１の異なる側の固定部に固定する。【選択図】図９
2018181639.tif 000002
【特許請求の範囲】
【請求項１】
側壁に貫通孔を備える筐体に着脱自在に装着され、前記筐体に装着することにより前記側壁を覆い隠すための化粧カバーであって、
前記側壁の上辺および縦辺に沿った形状を有する帯状の枠材と、該枠材に着脱自在に固定される板材とを備え、
前記枠材は、その幅方向の両側に対称的に設けられ、前記板材を固定するための固定部を有し、
前記筐体を、前記側壁が一方の側になるように配置した状態と前記一方の側と反対の他方の側になるように配置した状態とで、前記板材の同一面が前記枠材側になるように、前記板材を反転させて、前記枠材の異なる側の前記固定部に固定するように構成されていることを特徴とする化粧カバー。
【請求項２】
前記固定部は、前記枠材の前記側壁の前記上辺に沿った形状の部分に、下方に向かって突出する板片を備える請求項１に記載の化粧カバー。
【請求項３】
前記板片は、前記枠材を前記筐体に装着する際の装着部としても機能する請求項２に記載の化粧カバー。
【請求項４】
前記板材は、当該化粧カバーを前記筐体に装着した状態で内側になる面に、前記側壁との離間距離を規定する突出部を有する請求項１ないし３のいずれかに記載の化粧カバー。
【請求項５】
前記筐体は、蓄電池モジュールを収納可能であり、前記化粧カバーは、前記蓄電池モジュールに電気的に接続され、前記貫通孔を介して引き出されたケーブルも覆い隠すように構成されている請求項１ないし４のいずれかに記載の化粧カバー。
【請求項６】
蓄電池モジュールと、
該蓄電池モジュールを収納し、前記蓄電池モジュールに電気的に接続されるケーブルを引き出し可能な貫通孔が形成された側壁を有する筐体と。
請求項１ないし５のいずれかに記載の化粧カバーとを備えることを特徴とする蓄電池ユニット。
【発明の詳細な説明】
【技術分野】
【０００１】
本発明は、化粧カバーおよび蓄電池ユニットに関する。
【背景技術】
【０００２】
一般に、蓄電池ユニットは、複数の蓄電池モジュールを筐体（収納箱）に収納して構成されている（例えば、特許文献１参照）。また、蓄電池モジュールに電気的に接続され、筐体の外部に露出するケーブルを化粧カバー覆い隠すことも行われている。しかしながら、筐体の向きによっては、筐体とケーブルとの位置関係が異なってしまい、一種類の化粧カバーでは対応することができないことがある。これに対応可能なように、複数種類の化粧カバーを用意しておく必要がある。
【先行技術文献】
【特許文献】
【０００３】
【特許文献１】特開２０１７−５０２７号公報
【発明の概要】
【発明が解決しようとする課題】
【０００４】
本発明は、上記問題点を解決すべくなされたものであり、その目的は、筐体の向きによらず、貫通孔を備える側壁を覆い隠すことが可能な化粧カバー、およびかかる化粧カバーを備える蓄電池ユニットを提供することにある。
【課題を解決するための手段】
【０００５】
このような目的は、下記の（１）〜（６）の本発明により達成される。
（１）  側壁に貫通孔を備える筐体に着脱自在に装着され、前記筐体に装着することにより前記側壁を覆い隠すための化粧カバーであって、
前記側壁の上辺および縦辺に沿った形状を有する帯状の枠材と、該枠材に着脱自在に固定される板材とを備え、
前記枠材は、その幅方向の両側に対称的に設けられ、前記板材を固定するための固定部を有し、
前記筐体を、前記側壁が一方の側になるように配置した状態と前記一方の側と反対の他方の側になるように配置した状態とで、前記板材の同一面が前記枠材側になるように、前記板材を反転させて、前記枠材の異なる側の前記固定部に固定するように構成されていることを特徴とする化粧カバー。
【０００６】
（２）  前記固定部は、前記枠材の前記側壁の前記上辺に沿った形状の部分に、下方に向かって突出する板片を備える上記（１）に記載の化粧カバー。
【０００７】
（３）  前記板片は、前記枠材を前記筐体に装着する際の装着部としても機能する上記（２）に記載の化粧カバー。
【０００８】
（４）  前記板材は、当該化粧カバーを前記筐体に装着した状態で内側になる面に、前記側壁との離間距離を規定する突出部を有する上記（１）ないし（３）のいずれかに記載の化粧カバー。
【０００９】
（５）  前記筐体は、蓄電池モジュールを収納可能であり、前記化粧カバーは、前記蓄電池モジュールに電気的に接続され、前記貫通孔を介して引き出されたケーブルも覆い隠すように構成されている上記（１）ないし（４）のいずれかに記載の化粧カバー。
【００１０】
（６）  蓄電池モジュールと、
該蓄電池モジュールを収納し、前記蓄電池モジュールに電気的に接続されるケーブルを引き出し可能な貫通孔が形成された側壁を有する筐体と。
上記（１）ないし（５）のいずれかに記載の化粧カバーとを備える蓄電池ユニット。
【発明の効果】
【００１１】
本発明によれば、板材の同一面が枠材側になるように、板材を反転させて、枠材の両側に固定可能としたので、筐体の向きによらず、貫通孔を備える側壁を覆い隠すことができる。
【図面の簡単な説明】
【００１２】
【図１】本発明の蓄電池ユニットを示す分解斜視図である。
【図２】蓄電池モジュールの斜視図である。
【図３】図２に示す蓄電池モジュールの平面図（ａ）、側面図（ｂ）、前面図（ｃ）および底面図（ｄ）である。
【図４】蓄電池本体の分解斜視図である。
【図５】係合部を拡大して示す断面図である。
【図６】係合部の他の構成例を示す断面図である。
【図７】筐体の本体部に蓄電池モジュールを設置する作業の過程を示す平面図である。
【図８】ハンドルを固定した状態の蓋部の底面図である。
【図９】化粧カバーを筐体に装着する前の状態を示す斜視図である。
【図１０】板材を枠材に固定する前の状態を示す斜視図である。
【図１１】化粧カバーの６面図である。
【図１２】枠材の６面図である。
【図１３】板材の６面図である。
【図１４】化粧カバーを筐体に装着した状態を示す斜視図である。
【発明を実施するための形態】
【００１３】
以下、本発明の化粧カバーおよび蓄電池ユニットについて、添付図面に示す好適実施形態に基づいて詳細に説明する。
【００１４】
図１は、本発明の蓄電池ユニットを示す分解斜視図、図２は、蓄電池モジュールの斜視図、図３は、図２に示す蓄電池モジュールの平面図（ａ）、側面図（ｂ）、前面図（ｃ）および底面図（ｄ）、図４は、蓄電池本体の分解斜視図、図５は、係合部を拡大して示す断面図、図６は、係合部の他の構成例を示す断面図、図７は、筐体の本体部に蓄電池モジュールを設置する作業の過程を示す平面図、図８は、ハンドルを固定した状態の蓋部の底面図である。
【００１５】
なお、各図では、その特徴を判り易くするために、便宜上、特徴となる部分を拡大して示している場合があり、各構成要素の寸法比率等は、実際とは異なる場合がある。また、以下に例示される材料、寸法等は一例であって、本発明は、それらに限定されるものではなく、その要旨を変更しない範囲で適宜変更して実施することが可能である。
【００１６】
以下では、説明の都合上、図１〜図４中の右側を「前側」または「前方」と、左側を「後側」または「後方」と言う。また、図１〜図６中の上側を「上側」または「上方」と、上側を「下側」または「下方」と言う。
【００１７】
図１に示す蓄電池ユニット１００は、複数の蓄電池モジュール１と、複数の蓄電池モジュール１を制御する制御モジュール１０と、複数の蓄電池モジュール１および制御モジュール１０を積み重ねた状態で収納可能な筐体２０とを有している。
【００１８】
各蓄電池モジュール１は、図２および図３に示すように、積層部２と電気接続部３とを備える蓄電池本体４と、蓄電池本体４の側部に設けられた一対のブラケット部材５とを有しており、２つのハンドル６が一対のブラケット部材５に着脱自在に取付可能となっている。
【００１９】
図４に示すように、積層部２は、複数のシート状の蓄電池セル２１を備え、２つの蓄電池セル２１が１つの枠状の支持枠２２内に収納されている。各蓄電池セル２１は、例えば、リチウムイオン二次電池で構成することができる。
【００２０】
また、積層部２は、その最上部に配置された天板２３と、最下部に配置された底板２４とを備えている。
すなわち、本実施形態の積層部２は、底板２４、２つの蓄電池セル２１を収納した複数の支持枠２２および天板２３が、この順で積層されて構成されている。
【００２１】
支持枠２２、天板２３および底板２４は、それぞれ比較的硬質の樹脂材料で構成されている。かかる樹脂材料としては、特に限定されないが、例えば、ポリカーボネート、ＡＢＳ等が挙げられる。
また、積層部２を構成する各部の平面視形状は、長方形状をなしており、積層部２および蓄電池本体４は、直方体状（長尺状）をなしている。
【００２２】
図２および図３に示すように、天板２３の上面には、その長手方向に沿って複数の円環状の上面凸部（第１の係合部）２３１が形成され、一方、底板２４の下面には、その長手方向に沿って複数の円環状の下面凸部（第２の係合部）２４１が形成されている。
【００２３】
下面凸部２４１の内径は、上面凸部２３１の外径より若干大きく設定されている。このため、図５に示すように、複数の蓄電池モジュール１を積み重ねた際に、上面凸部２３１が対応する下面凸部２４１の内側に挿入され、これらが係合する。これにより、上下２つの蓄電池モジュール１が位置決めされる。
【００２４】
また、この状態で、上下２つの蓄電池モジュール１の間には隙間が形成される。このため、蓄電池本体４（蓄電池セル２１）が発熱しても、その熱が蓄電池モジュール１同士の間に滞留することなく、これらの間の隙間を介して効率よく排出される。これにより、蓄電池モジュール１が蓄熱し、誤作動すること等を防止することができる。
【００２５】
ここで、上面凸部２３１の外径をＲ１［ｍｍ］とし、下面凸部２４１の内径をＲ２［ｍｍ］としたとき、Ｒ２−Ｒ１は、０．０１〜１程度であることが好ましく、０．０５〜０．７５程度であることがより好ましい。Ｒ１とＲ２とが前記関係を満足することにより、上面凸部２３１を下面凸部２４１に挿入および抜去し易くなるとともに、上下２つの蓄電池モジュール１の固定状態が良好となる。
【００２６】
上面凸部２３１の外径Ｒ１の具体的な値は、特に限定されないが、４０〜８０ｍｍ程度であることが好ましく、５５〜６５ｍｍ程度であることがより好ましい。一方、下面凸部２４１の内径Ｒ２の具体的な値も、特に限定されないが、４０〜８０ｍｍ程度であることが好ましく、５５〜６５ｍｍ程度であることがより好ましい。
【００２７】
また、図３（ｂ）に示すように、上面凸部２３１および下面凸部２４１は、それぞれ蓄電池モジュール１の側面視において、ブラケット部材５から突出している。これにより、複数の蓄電池モジュール１を積み重ねた際に、上側の蓄電池モジュール１の下面と下側の蓄電池モジュール１の上面とが直接接触することを防止して、上下２つの蓄電池モジュール１の間に隙間を確実に形成することができる。
【００２８】
上面凸部２３１および下面凸部２４１の高さは、互いにほぼ等しく設定され、０．５〜１０ｍｍ程度であることが好ましく、１〜３ｍｍ程度であることがより好ましい。
また、上面凸部２３１および下面凸部２４１の幅（厚さ）も、互いにほぼ等しく設定され、０．５〜１０ｍｍ程度であることが好ましく、１〜３ｍｍ程度であることがより好ましい。
【００２９】
さらに、図５に示すように、上面凸部２３１および下面凸部２４１は、頂部の外周側が切り欠かれ、テーパ面が形成されている。これにより、下側の蓄電池モジュール１の上面凸部２３１と上側の蓄電池モジュール１の下面凸部２４１との係合操作をより円滑に行うことができるようになっている。
【００３０】
なお、上面凸部２３１および下面凸部２４１の形状は、円環状に限らず、例えば、楕円環状、三角環状、四角環状、六角環状、星環状等であってもよい。
また、本実施形態とは逆に、上面凸部２３１の内径を、下面凸部２４１の外径より若干大きく設定するようにしてもよい。
【００３１】
さらに、第１の係合部と第２の係合部との組み合わせは、円環状の凸部２３１と円環状の凸部２４１との組み合わせの他、例えば、円環状の凸部２３１と外形が円形状の凹部２４１との組み合わせ（図６（ａ）参照）、外形が円形状（円柱状）の凸部２３１と円環状の凸部２４１との組み合わせ（図６（ｂ）参照）、外形が円形状（円柱状）の凸部２３１と外形が円形状の凹部２４１との組み合わせ（図６（ｃ）参照）、またはこれらの逆の構成等であってもよい。かかる構成によっても、前記と同様の効果が得られる。
【００３２】
また、第１の係合部と第２の係合部とは、それぞれ１つのみ設けるようにしてもよいが、複数個設けることにより、蓄電池モジュール１同士の前後および左右の位置決めをより正確に行うことができる。
【００３３】
図３（ａ）および（ｄ）に示すように、天板２３の上面には、上面凸部２３１に加え、格子状に配列された複数の上面リブ２３２が形成され、一方、底板２４の下面には、下面凸部２４１に加え、格子状に配列された複数の下面リブ２４２が形成されている。
上面リブ２３２の高さは、上面凸部２３１の高さより小さく設定され、また、下面リブ２４２の高さは、下面凸部２４１の高さより小さく設定されている。
【００３４】
このため、下側の蓄電池モジュール１の上面凸部２３１と上側の蓄電池モジュール１の下面凸部２４１とを係合させたとき、図５に示すように、上側の蓄電池モジュール１の下面凸部２４１が下側の蓄電池モジュール１の上面リブ２３２に当接し、下側の蓄電池モジュール１の上面凸部２３１が上側の蓄電池モジュール１の下面リブ２４２に当接する。
【００３５】
これにより、上側の蓄電池モジュール１の下面凸部２４１の頂面全体が下側の蓄電池モジュール１の上面に密接することを防止し、下側の蓄電池モジュール１の上面凸部２３１の頂面全体が上側の蓄電池モジュール１の下面に密接することを防止することができる。
【００３６】
このため、上面凸部２３１と下面凸部２４１とで画成される内側空間が、上面凸部２３１の外周面と下面凸部２４１の内周面との間の微小間隙を介して、下面凸部２４１より外側の空間と確実に連通するようになる。したがって、蓄電池本体４（蓄電池セル２１）が発熱しても、その熱が上面凸部２３１と下面凸部２４１とで画成される内側空間に滞留することなく、効率よく排出される。
【００３７】
また、上側の蓄電池モジュール１と下側の蓄電池モジュール１との係合（固定）が必要以上に強固となることを防止して、下側の蓄電池モジュール１から上側の蓄電池モジュール１を取り外す際には、その操作を円滑に行うことができる。
さらに、また、上面リブ２３２を設けることにより、天板２３を補強し。下面リブ２４２を設けることにより、底板２４を補強して、天板２３および底板２４の機械的強度を向上させることもできる。
【００３８】
上面リブ２３２および下面リブ２４２の高さも、互いにほぼ等しく設定され、上面凸部２３１および下面凸部２４１の高さの１／２０〜１／２程度であることが好ましく、１／１５〜１／５程度であることがより好ましい。
なお、上面リブ２３２および下面リブ２４２の高さの具体的な値は、特に限定されないが、０．１〜５ｍｍ程度であることが好ましく、０．３〜１．２ｍｍ程度であることがより好ましい。
【００３９】
また、上面リブ２３２および下面リブ２４２の幅（太さ）も、特に限定されないが、０．１〜５ｍｍ程度であることが好ましく、０．３〜１．２ｍｍ程度であることがより好ましい。
なお、本実施形態では、上面リブ２３２および下面リブ２４２は、それぞれ蓄電池モジュール１（天板２３および底板２４）の長手方向および短手方向に沿って形成されているが、長手方向および短手方向に対して傾斜するように形成されていてもよい。
【００４０】
また、上面リブ２３２および下面リブ２４２は、それぞれ天板２３および底板２４の全面にわたって形成されているが、上面凸部２３１および下面凸部２４１の近傍の一部の領域にのみ形成されてもよい。例えば、上面リブ２３２は、上面凸部２３１の外側を取り囲む領域のみに形成することができ、下面リブ２４２は、下面凸部２４１の内側の領域のみに形成することができる。
【００４１】
各蓄電池セル２１は、図４に示すように、その前方および後方に設けられた一対の端子用タブ２１１を備えている。積層部２の組立状態において、複数の端子用タブ２１１は、積層部２から突出している。
【００４２】
積層部２の前方端部および後方端部には、複数の端子用タブ２１１に電気的に接続されるように、電気接続部３が設けられている。また、前方の電気接続部３の前面には、ケーブルを接続するための２つのコネクタ３１、３２が設けられている。
【００４３】
このような蓄電池本体４の長手方向の両側部には、一対のブラケット部材５が設けられている。すなわち。一対のブラケット部材５は、蓄電池本体４を介して対向配置されている。この状態で、コネクタ３１、３２は、一対のブラケット部材５同士の間で、前方に突出している。
【００４４】
図２に示すように、各ブラケット部材５は、蓄電池本体４の側面、上面縁部、下面縁部、前面縁部および後面縁部を覆う枠状の本体部５１と、本体部５１の前端上下で内側に突出する一対の板片５２と、本体部５１の後端上下で内側に突出する一対の板片５３とを備えている。
【００４５】
各板片５２、５３は、本体部５１と一体的に形成され、その所定の箇所には、複数の貫通孔５２１、５３１が形成されている。一対のブラケット部材５を蓄電池本体４の両側部に取り付け、ネジを貫通孔５２１、５３１に挿通して、蓄電池本体４（本実施形態では、電気接続部３）の所定の箇所に設けられたネジ穴に螺合させることにより、これらを互いに固定することができる。
【００４６】
この状態で、一対のブラケット部材５により、蓄電池本体４が分解するのを阻止することができる。すなわち、積層部２と電気接続部３とが互いに分離することや、蓄電池セル２１、支持枠２２、天板２３および底板２４が互いに分離することを阻止することができる。
【００４７】
なお、蓄電池本体４を構成する各部を、例えば、接着剤による接着、ネジ止め等してもよいが、一対のブラケット部材５により、蓄電池本体４の各部を一括して固定すれば、蓄電池モジュール１の構成の簡素化を図るとともに、製造コストを低減することもできる。また、蓄電池モジュール１のメンテナンスの際に、蓄電池本体４を分解することも容易になる。
【００４８】
このようなブラケット部材５は、所定の形状に加工された一枚の板材を折り曲げることにより作製することができる。ブラケット部材５の構成材料としては、特に限定されないが、例えば、アルミニウムまたはアルミニウム合金、ステンレス鋼、鉄等が挙げられる。かかる材料でブラケット部材５を構成することにより、ブラケット部材５を介した放熱効果も期待できる。
【００４９】
図２に示すように、一対のブラケット部材５のうちの紙面手前側のブラケット部材５の前端には、前方に向かって突出する板片５１１が設けられている。この板片５１１は、図３（ｂ）に示すように、蓄電池モジュール１の側面視において、コネクタ３１、３２に重なるような大きさを有している。このため、蓄電池モジュール１の移動作業や設置作業の際に、他の部材が接触して、コネクタ３１、３２が破損するのを防止することができる。
【００５０】
各ブラケット部材５の蓄電池本体４の側面を覆う部分には、２つの長尺の大開口５１２が形成されている。このため、一対のブラケット部材５を蓄電池本体４の両側部に取り付けた状態で、積層部２の側面が大開口５１２から外部に露出する。これにより、蓄電池本体４（蓄電池セル２１）が発熱しても、その熱を蓄電池モジュール１外に効率よく排出することができる。
【００５１】
また、各ブラケット部材５の蓄電池本体４の上面縁部および下面縁部を覆う部分には、それぞれ、その長手方向に沿って複数（本実施形態では６個）の突起５１５が形成されている。複数の突起５１５は、蓄電池本体４の上面縁部および下面縁部を覆う部分において対応した位置に設けられている。
【００５２】
複数の蓄電池モジュール１を重ね合わせた際に、下側の電池モジュール１の突起５１５と上側の電池モジュール１の対応する突起５１５とが当接することにより、上下２つの電池モジュール１の離間距離を規定することができる。これにより、下側の蓄電池本体４に上側からの不要な荷重が付与されることを阻止して、蓄電池本体４（特に、蓄電池セル２１）が破損することを好適に防止することができる。
【００５３】
さらに、各ブラケット部材５の蓄電池本体４の上面縁部を覆う部分には、その長手方向に沿って長孔（第１の貫通孔）５１３と、この長孔５１３の近傍に小孔５１４とが形成されている。各ブラケット部材５では、長孔５１３と小孔５１４との組が前後２組設けられている。なお、前側の組と後側の組とでは、長孔５１３と小孔５１４との位置関係が逆転している。
【００５４】
これらの長孔５１３および小孔５１４が、ブラケット部材５にハンドル６を着脱自在に取り付けるための取付部を構成している。
各ハンドル６は、図２に示すように、手を掛ける帯状の把持部６１と、把持部６１の両端から下方に延びる一対の脚部６２と、各脚部６２の下端部（把持部６１と反対側の端部）に設けられたＵ字状をなすフック部６３とを備えている。
【００５５】
また、把持部６１の前端および後端には、把持部６１の長手方向に沿って、把持部６１と一体的に形成された長尺の板片６１１および６１２が設けられている。板片６１１および６１２を設けることにより、把持部６１（ハンドル６）の機械的強度を向上させることができる。
また、板片６１１の所定の位置には、２つの貫通孔６１１ａが形成されている。
【００５６】
このようなハンドル６は、所定の形状に加工された一枚の板材を折り曲げることにより作製することができる。ハンドル６の構成材料としては、特に限定されないが、例えば、アルミニウムまたはアルミニウム合金、ステンレス鋼、鉄等が挙げられる。
【００５７】
ブラケット部材５の長孔５１３は、ハンドル６のフック部６３を通過可能な大きさを有している。また、小孔５１４は、フック部６３の先端を挿入して係止可能な大きさを有している。
【００５８】
このため、ハンドル６の各フック部６３を一対のブラケット部材５の対応する長孔５１３に挿通し、ハンドル６を蓄電池モジュール１に対して前方または後方に若干スライドさせた後、各フック部６３の先端が小孔５１４に挿入されるように、ハンドル６を蓄電池モジュール１から離間させることにより、ハンドル６の一端部が一方のブラケット部材５に、その他端部が他方のブラケット部材５に取り付けられる。これにより、図２の前方に示すように、蓄電池モジュール１は、ハンドル６を取り付けた取付状態となる。
【００５９】
このように、ハンドル６を蓄電池モジュール１に取り付けることにより、蓄電池モジュール１の移動作業や設置作業を、特に狭小スペースであっても、人手により容易に行うことができる。また、ハンドル６は、蓄電池モジュール１から取り外すこともできるため、複数の蓄電池モジュール１を積み重ねて設置する場合でも、蓄電池ユニット１００の大きさが増大することを防止することもできる。
【００６０】
蓄電池モジュール１の長辺（長手方向の長さ）は、好ましくは２００〜８００ｍｍ程度であり、短辺（短手方向の長さ）は、好ましくは１５０〜３００ｍｍ程度である。また、蓄電池モジュール１の高さは、好ましくは５０〜２００ｍｍ程度である。
【００６１】
以上説明したような蓄電池モジュール１が複数個積み重ねられた状態で、筐体２０に収納される。このため、蓄電池モジュール１の設置数を変更することにより、蓄電池ユニット１００の電池容量を調節することができる。
なお、図１に示す構成では、筐体２０の紙面手前側にのみ、蓄電池モジュール１を積み重ねて配置するようになっているが、紙面奥側にも複数の蓄電池モジュール１を積み重ねて配置することもできる。
【００６２】
筐体２０は、図１に示すように、上部開口２０１ａを備える本体部２０１と、上部開口２０１ａを塞ぐようにして本体部２０１に着脱自在に固定される蓋部２０２とを備えている。また、本体部２０１は、枠体と、この枠体に、例えばネジ止め、溶接等により取り付けられた複数の板材２０１ｂ〜２０１ｄ（図９参照）とで構成されている。
【００６３】
また、筐体２０の底部内面には、蓄電池モジュール１の下面凸部２４１が挿入されることにより、係合可能な凹部（第３の係合部）２０１２が設けられている。これにより、最も下側に位置する蓄電池モジュール１を、筐体２０（本体部２０１）に対して位置決めすることができる。
なお、第３の係合部は、凹部２０１２に代えて、上面凸部２３１と同様の構成の円環状の凸部や、下面凸部２４１の内側に挿入可能（係合可能）な円柱状の凸部で構成することもできる。
【００６４】
さらに、筐体２０の側部内面の下方には、図７に示すように、最も下側に位置する蓄電池モジュール１を本体部２０１（筐体２０）に対して位置決めする突部２０１３が設けられている。最も下側に位置する蓄電池モジュール１を本体部２０１内に設置する際には、一旦本体部２０１の底部に載置した後、スライドさせる操作を行うことが現実的である。
この際、図７に示すように、蓄電池モジュール１の角部を突部２０１３に当接させ、当該部分を支点として蓄電池モジュール１を回転させると、自然に所定の位置に誘導すること、すなわち位置決めすることができる。
【００６５】
積み重ねられた複数の蓄電池モジュール１の上には、図１に示すように、固定プレート３０が配置され、固定プレート３０が、図中矢印で示すネジにより、本体部２０１の枠体にネジ止めされる。これにより、複数の蓄電池モジュール１も本体部２０１の枠体に固定される。
かかる構成によれば、蓄電池モジュール１同士をネジ止めすることなく、一括して本体部２０１（筐体２０）に固定することができるため、部品点数の削減を図ることができるとともに、蓄電池ユニット１００の設置作業をより簡略化することができる。
【００６６】
また、固定プレート３０は、本体部２０１の枠体を構成し、互いに対向する部材同士を連結する梁としても作用するため、本体部２０１（筐体２０）の機械的強度を向上させることもできる。すなわち、固定プレート３０は、筐体２０を補強する機能も有する。
【００６７】
このような固定プレート３０には、蓄電池モジュール１の上面凸部２３１が挿入されることにより、係合可能な貫通孔（第４の係合部）３０１が設けられている。これにより、積み重ねられた複数の蓄電池モジュール１をより確実に筐体２０に固定することができる。
なお、第４の係合部は、貫通孔３０１に代えて、下面凸部２４１と同様の構成の円環状の凸部や、上面凸部２３１の内側に挿入可能（係合可能）な円柱状の凸部で構成することもできる。
【００６８】
また、固定プレート３０上には、制御モジュール１０が配置され、図中矢印で示すネジにより、固定プレート３０にネジ止めされる。
制御モジュール１０は、例えば、交流電流と直流電流との電力変換を行う機能、蓄電池モジュールの異常の有無をモニターする機能、蓄電池モジュール１の充電量をモニターする機能、異常時の電力ラインの遮断機能、外部機器との通信機能等を有している。
【００６９】
本体部２０１内に、複数の蓄電池モジュール１および制御モジュール１０を収納した状態で、本体部２０１の上部開口２０１ａを塞ぐように、本体部２０１に蓋部２０２が装着される。
蓋部２０２は、長方形状（上部開口２０１ａに対応した形状）の平板で構成され、四つの角部にそれぞれ貫通孔２０２１が形成されている。図中矢印で示すネジを貫通孔２０２１に挿通し、本体部２０１の枠体に設けられたネジ穴に螺合する。これにより、蓋部２０２が本体部２０１に固定される。
【００７０】
また、蓋部２０２の底面（内面）の所定の位置には、４つのネジ孔が形成されている。蓋部２０２の底面に２つのハンドル６を配置し、板片６１１に形成された貫通孔６１１ａにネジを挿通し、蓋部２０２の底面に形成されたネジ孔に螺合させることにより、図８に示すように、各ハンドル６を蓋部２０２に固定することができる。
【００７１】
この状態で、蓋部２０２を本体部２０１に固定することにより、２つのハンドル６も筐体２０内に収納することができる。これにより、ハンドル６が邪魔にならず、またデッドスペースの有効利用を図ることもできる。
なお、ハンドル６の蓋部２０２の底面への固定は、ネジ止めに限らず、例えば、クリップのような挟持部材による固定、ハンドル６に嵌合する嵌合部材による固定等であってもよい。
【００７２】
筐体２０および固定プレート３０の構成材料としては、それぞれ、例えば、アルミニウムまたはアルミニウム合金、ステンレス鋼、鉄等が挙げられる。かかる材料で筐体２０および固定プレート３０を構成することにより、これらを介した放熱効果も期待できる。
また、筐体２０のサイズは、例えば、各蓄電池モジュール１のサイズ、蓄電池モジュール１の設置数等に応じて適宜設定されるため、特に限定されるものではない。
【００７３】
このような蓄電池ユニット１００によれば、各蓄電池モジュール１の構成は、同一であるため、２つのハンドル６を複数の蓄電池モジュール１において共用することができ、利便性が高い。
なお、本体部２０１の内面に、高さ方向に沿ってガイドを設けるようにしてもよい。このガイドにブラケット５の板片５１１を沿わせて、蓄電池モジュール１を本体部２０１内に誘導することにより、本体部２０１に対する蓄電池モジュール１の位置決めが容易になる。
【００７４】
以上のような蓄電池ユニット１００において、筐体２０には、図９〜図１４に示すように、化粧カバー４０が着脱自在に装着される。
図９は、化粧カバーを筐体に装着する前の状態を示す斜視図、図１０は、板材を枠材に固定する前の状態を示す斜視図、図１１は、化粧カバーの６面図、図１２は、枠材の６面図、図１３は、板材の６面図、図１４は、化粧カバーを筐体に装着した状態を示す斜視図である。
なお、図１１〜図１３において、（ａ）が正面図、（ｂ）が平面図、（ｃ）が底面図、（ｄ）が左側面図、（ｅ）が右側面図、（ｆ）が背面図である。
【００７５】
以下の説明では、図９（ａ）を基準に、図９（ａ）の紙面左手前側を「前」、紙面右奥側を「後」、紙面左奥側を「左」、紙面右手前側を「右」として方向を特定する。
したがって、図９（ａ）では、板材２０１ｂが筐体２０の前壁を、板材２０１ｃが筐体２０の右壁を、板材２０１ｄが筐体２０の後壁を、板材２０１ｅが筐体２０の左壁をそれぞれ構成している。一方、図９（ｂ）では、筐体２０を１８０°回転させた状態であるため、図９（ａ）と前後が逆転している。
【００７６】
図９（ａ）および（ｂ）に示すように、板材２０１ｃには、各蓄電池モジュール１のコネクタ３１、３２に接続され、束ねられたケーブル（電気ケーブルおよび信号ケーブル）を外部に引き出すための貫通孔２０１４、２０１５が形成されている。
また、板材２０１ｃの上側および下側には、それぞれ横長の通気口２０１６ａ、２０１６ｂが形成されている。通気口２０１６ａ、２０１６ｂを介して、筐体２０内の空気（熱）が外部に排出される。
【００７７】
板材２０１ｃには、上辺に沿って設けられ、側方に突出する突出片２０１７が形成されている。この突出片２０１７は、板材２０１ｃの上辺のほぼ全長にわたって設けられ、その中央部には、貫通孔２０１８が形成されている。
突出片２０１７に、化粧カバー４０を係止することにより、化粧カバー４０を筐体２０に装着することができる。この状態で板材２０１ｃとともに、貫通孔２０１４、２０１５を介して引き出されたケーブル（図示せず）も覆い隠すことができ、見栄えがよい。
【００７８】
化粧カバー４０は、帯状の枠材４１と、枠材４１に着脱自在に固定される板材４２とを備えている。枠材４１は、筐体２０に装着した状態で、板材２０１ｃの上辺に沿って位置する上部４１１と、縦辺（前面側の縦辺）に沿って位置する前部４１２とを有し、全体としてＬ字状をなしている。
また、枠材４１は、その幅方向の両側に対称的に設けられ、図１０に示すように、板材４２を固定するための固定部４１３も有している。
【００７９】
各固定部４１３は、上部４１１から下方に向かって突出する板片４１４と、前部４１２から後方に向かって突出する板片４１５とを備えている。板片４１４は、板材４２の厚さ分だけ上部４１１の内側にズレた位置に設けられている。なお、図１３に示すように、板材４２の両端部には、その縦方向（上下方向）に沿って、角筒４２３が設けられている。このため、板片５１４は、角筒４２３の厚さ分だけ前部４１２の内側にズレた位置に設けられている。
【００８０】
また、板片４１４は、その下端部に幅が狭くなった部分を有しており、当該部分を板材２０１ｃに設けられた突出片２０１７の貫通孔２０１８に挿入可能となっている。これにより、化粧カバー４０を筐体２０に装着することができる。すなわち、板片４１４は、枠材４１を筐体２０に装着する際の装着部としても機能する。
【００８１】
板片４１５は、その縦方向に沿って、ほぼ等間隔で設けられた複数の凸部４１５１を備え、角筒４２３は、その縦方向に沿って、ほぼ等間隔で設けられた複数の凹部４２３１を備えている。板材４２を枠材４１に取り付けた状態で、各凸部４１５１が対応する凹部４２３１に挿入される。これにより、板材４２が枠材４１に対して位置決めされる。
【００８２】
また、板片４１４には、所定の２箇所にネジ孔４１４ａが形成されている。板片４１５は、その下端部がＬ字状に屈曲しており、その先端面４１５０にネジ孔４１５ａが形成されている。
一方、板材４２には、ネジ孔４１４ａと対応する上部の箇所に貫通孔４２１が形成され、ネジ穴４１５ａと対応する下部の箇所に貫通孔４２２ａと貫通孔４２２ｂとが形成されている。
【００８３】
図９（ａ）および図１０（ａ）に示すように、板材２０１ｃが右側（一方の側）になるように筐体２０を配置した状態では、ネジ４３を板材４２の貫通孔４２１および貫通孔４２２ａに挿通し、右側のネジ穴４１４ａおよびネジ穴４１５ａに螺号させる、これにより、板材４２を枠材４１の右側の固定部４１３に固定することができる、この状態で、板片４１４の下端部を突出片２０１７の貫通孔２０１８に挿入することにより、化粧カバー４０を、図１４（ａ）に示すように、板材２０１ｂを前壁として配置した状態の筐体２０の右側に装着することができる。
【００８４】
一方、図９（ｂ）および図１０（ｂ）に示すように、筐体２０を板材２０１ｃが左側（一方の側と反対の他方の側）になるように配置した状態では、板材４２を前後反転（板材４２の同一面が枠材４１側になるように反転）させ、ネジ４３を板材４２の貫通孔４２１および貫通孔４２２ｂに挿通し、左側のネジ穴４１４ａおよび４１５ａに螺号させる、これにより、板材４２を枠材４１の左側（異なる側）の固定部４１３に固定することができる、この状態で、板片４１４の下端部を突出片２０１７の貫通孔２０１８に挿入することにより、化粧カバー４０を、図１４（ｂ）に示すように、板材２０１ｄを前壁として配置した状態の筐体２０の左側に装着することができる。
【００８５】
また、図１３に示すように、板材４２は、化粧カバー４０を筐体２０に装着した状態で内側になる面に、一対の突出部４２４を有している。化粧カバー４０を筐体２０に装着した状態で、一対の突出部４２４が筐体２０の板材２０１ｃ（側壁）と当接することにより、これらの離間距離を規定することができる。これにより、ケーブルを収納するスペースを確実に確保することができる。
【００８６】
ここで、蓄電池ユニット１００を設置する場所によっては、ケーブルの引き回しの関係等で、筐体２０を前後反転して配置せざるを得ない場合がある。このような場合でも、化粧カバー４０によれば、板材２０１ｃの向き（右側または左側）に応じて、枠材４１に対する板材４２の取り付け方向を変更するだけで、左側用または右側用とすることができる。このため、別途、２種類の化粧カバーを用意する必要がなく、利便性が高い。
【００８７】
また、枠材４１がＬ字状をなすため、化粧カバー４０を右側用または左側用として組み立てても、化粧カバー４０の下側および後側には、必ず開口部が形成される。このため、化粧カバー４０を筐体２０に装着する際に、化粧カバー４０とケーブルとが干渉すること、すなわち、ケーブルが邪魔になることもない。
【００８８】
このような化粧カバー４０（枠材４１および板材４２）のサイズは、筐体２０のサイズに応じて設定される。なお、枠材４１の幅は、例えば、筐体２０のサイズと蓄電池ユニット１００の設置スペースのサイズとの関係等に応じて設定されるため、特に限定されないが、好ましくは３０〜１００ｍｍ程度である。
【００８９】
なお、蓄電池ユニット１００では、筐体２０外からケーブルを貫通孔２０１４、２０１５に挿通して、筐体２０内の蓄電池モジュール１や制御モジュール１０に接続する構成でなくてもよい。例えば、筐体２０内で蓄電池モジュール１や制御モジュール１０に接続した第１のケーブルの第１のコネクタを貫通孔２０１４、２０１５に挿入および固定し、筐体２０外の第２のケーブルの第２のコネクタを第１のコネクタに接続する構成とすることもできる。後者の場合、蓄電池モジュール１、制御モジュール１０等を筐体２０内に設置して、これらを組み立てた後、対応する第１のコネクタと第２のコネクタとを接続すればよいので、蓄電池ユニット１００の設置作業をより簡便に行うことができる。
【００９０】
以上、本発明の化粧カバーおよび蓄電池ユニットについて説明したが、本発明は、これらに限定されるものではない。
例えば、本発明の化粧カバーおよび蓄電池ユニットは、それぞれ他の任意の構成を有していてもよいし、同様の機能を発揮する任意の構成と置換されていてよい。
【符号の説明】
【００９１】
１          蓄電池モジュール
２          積層部
２１        蓄電池セル
２１１      端子用タブ
２２        支持枠
２３        天板
２３１      上面凸部
２３２      上面リブ
２４        底板
２４１      下面凸部
２４２      下面リブ
３          電気接続部
３１、３２  コネクタ
４          蓄電池本体
５          ブラケット部材
５１        本体部
５１１      板片
５１２      大開口
５１３      長孔
５１４      小孔
５１５      突起
５２        板片
５２１      貫通孔
５３        板片
５３１      貫通孔
６          ハンドル
６１        把持部
６１１      板片
６１１ａ    貫通孔
６１２      板片
６２        脚部
６３        フック部
１００      蓄電池ユニット
１０        制御モジュール
２０        筐体
２０１      本体部
２０１ａ    上部開口
２０１ｂ〜２０１ｅ  板材
２０１２    凹部
２０１３    突部
２０１４、２０１５  貫通孔
２０１６ａ、２０１６ｂ  通気口
２０１７    突出片
２０１８    貫通孔
２０１ａ    上部開口
２０２      蓋部
２０２１    貫通孔
３０        固定プレート
３０１      貫通孔
４０        化粧カバー
４１        枠材
４１１      上部
４１２      前部
４１３      固定部
４１４      板片
４１４ａ    ネジ孔
４１５      板片
４１５０    先端面
４１５ａ    ネジ孔
４１５１    凸部
４２        板材
４２１      貫通孔
４２２ａ、４２２ｂ  貫通孔
４２３      角筒
４２３１    凹部
【図１】
2018181639.tif 000003
【図２】
2018181639.tif 000004
【図３】
2018181639.tif 000005
【図４】
2018181639.tif 000006
【図５】
2018181639.tif 000007
【図６】
2018181639.tif 000008
【図７】
2018181639.tif 000009
【図８】
2018181639.tif 000010
【図９】
2018181639.tif 000011
【図１０】
2018181639.tif 000012
【図１１】
2018181639.tif 000013
【図１２】
2018181639.tif 000014
【図１３】
2018181639.tif 000015
【図１４】
2018181639.tif 000016